(57)【要約】      （修正有）【課題】ファンの軸心にある気流が羽根まで順調に案内され、騒音が発生せず、且つ気流が順調で、放熱効果が向上する。【解決手段】ファン１１に連結され、気流案内体２０を含む気流案内構造において、前記気流案内体は、第一端面２１と、第二端面２２とを含み、前記第一端面の面積は前記第二端面よりも大きく、且つ前記第一端面と前記第二端面との間には気流案内溝が少なくとも一つ設けてあることを特徴とするファンモジュール。【選択図】図２
0003135977.tif 000002
【実用新案登録請求の範囲】
【請求項１】
ファン（１１）に連結され、気流案内体（２０）を含むファンモジュールにおいて、
前記気流案内体（２０）は、第一端面（２１）と、第二端面（２２）とを有し、前記第一端面（２１）の面積は前記第二端面（２２）よりも大きく、且つ前記第一端面（２１）と前記第二端面（２２）との間には気流案内溝（２３）が少なくとも一つ設けてあること
を特徴とするファンモジュール。
【請求項２】
一体成形技術により、前記気流案内体（２０）と前記ファン（１１）とが一体成形されることを特徴とする請求項１に記載のファンモジュール。
【請求項３】
前記気流案内体（２０）の第一端面（２１）の端縁には第一位置決め部（２４）が設けてあり、前記ファン（１１）には前記第一位置決め部（２４）に対応する第二位置決め部（１４）が設けてあることを特徴とする請求項１に記載のファンモジュール。
【考案の詳細な説明】
【技術分野】
【０００１】
本考案は、ファンモジュールに係り、特に、ファンの中心の気流を羽根に案内することにより放熱効率を向上するファンモジュールに関するものである。
【背景技術】
【０００２】
目下、多数の電子部品が連接されて各種の目的を達成する電子機器は、国民の日常生活にとって不可欠なものになっている。このような電子部品が演算しているときに発生する熱は、電子部品の作業効率を低下させ、更に電子部品の運転を停止することもある。そこで、熱を発生する電子部品の近傍にラジエーターを設置することが一般に行われており、このラジエーターにより、電子部品からの熱が快速に放熱され、電子部品の仕事温度が低下し、電子部品の正常な運転を確保するようにしている。また、放熱ファンの放熱効率を向上させるために、羽根やファンの筐体を変更したり、又はファンの回転数を増やすことが一般的に行われており、これによって、放熱の風量が増加するようになり、放熱効率を向上する効果がある。
【０００３】
従来の技術は、例えば台湾特許Ｍ３００９５８号の「軸流放熱ファン装置」において開示されているように、主に、ハウジングと、羽根車とを含み、前記ハウジングには、吸気口と、排気口と、気流案内枠と、中央に固定された電磁誘導固定子とが設けてあり、前記気流案内枠の周面には軸方向に沿った気流案内羽根が複数に設けてあり、前記気流案内羽根によりファンの運転効率が向上するようになっている。なお、前記羽根車は、回転軸を介して前記ハウジングの中央の軸受に枢着され、前記気流案内枠の内部に位置され、ボスが設けてあり、前記ボスに複数の羽根が等距離に設けてあり、前記ボスは、内部に電磁誘導回転子が設けてあり、中央に回転軸が設けてある。この従来例によれば、サイド方向からの気流を提供して放熱効果を向上するために、ハウジングの外周面に複数の気流案内羽根が設けてあるが、ファンの軸心がフラットであるので、ファンが運転しているときに、前記軸心が気流の抵抗になり、更に真空状態を形成し、ひいては放熱効果が良くないものとなっていた。
【０００４】
また、従来の技術は、例えば台湾特許第４７８５６０号の「ファン用羽根の構造」において開示されているように、一つの軸心部と、複数の羽根とを含み、前記軸心部の頂部が球面を呈し、その軸方向の中心には固定軸を挿入するための中心穴が開設してあり、前記羽根が前記軸心部の周面に斜めに環設され、前記球面の頂部に円形な平面が設けてあり、前記羽根の頂部が前記軸心部の頂部と同一の平面にあるように、前記羽根が前記軸心部の周面に沿って前記軸心部の頂部の中心に伸びる。この従来例は、羽根を延長し、且つ羽根の厚さを増加しない状態で羽根の面積を増加することにより、放熱効果を向上する。しかし、軸心部まで伸びた羽根は、面積が増加し、且つ軸心部にある凹凸面があるので、ファンが回転しているときに、騒音が発生し、且つ気流が順調しなくなり、放熱効果が低下していた。
【考案の開示】
【考案が解決しようとする課題】
【０００５】
本考案の主な目的は、従来のファンの軸心のフラット設計によって気流の抵抗が上がり、更に真空状態が形成される、という問題を改善することにより、ファンの軸心にある気流が羽根まで順調に案内され、騒音が発生しなくなり、且つ気流が順調になり、放熱効果が向上するファンモジュールを提供することにある。
【課題を解決するための手段】
【０００６】
上記目的を達成するためになされた本願の考案は、ファンに連結され、気流案内体を含む気流案内構造において、前記気流案内体は、第一端面と、第二端面とを有し、前記第一端面の面積は前記第二端面よりも大きく、且つ前記第一端面と前記第二端面との間には気流案内溝が少なくとも一つ設けてあることを特徴とするファンモジュールであることを要旨としている。
【０００７】
また、本願の考案では、一体成形技術により、前記気流案内体と前記ファンとが一体成形されることを特徴とするファンモジュールであることを要旨としている。
【０００８】
また、本願の考案では、前記気流案内体の第一端面の端縁には第一位置決め部が設けてあり、前記ファンには前記第一位置決め部に対応する第二位置決め部が設けてあることを特徴とするファンモジュールであることを要旨としている。
【考案の効果】
【０００９】
本考案のファンモジュールによれば、ファンの軸心にある気流が羽根まで順調に案内され、騒音が発生しなくなり、且つ気流が順調になり、放熱効果が向上する効果を有する。
【考案を実施するための最良の形態】
【００１０】
以下、添付図面を参照して本考案の好適な実施の形態を詳細に説明する。
【００１１】
まず、図１と図２を参照する。図１は本考案の外観斜視図であり、図２は本考案の分解斜視図である。本考案のファンモジュールは、図１と図２に示すように、主に、ファン１０を有しており、前記ファン１０は、筐部１１と、前記筐部１１の内部に収容される羽根車１２とを有している。前記ファン１０の羽根車１２には気流案内体２０が連結してあり、前記気流案内体２０は、第一端面２１と、第二端面２２とを有し、前記第一端面２１の面積は前記第二端面２２よりも大きくなっている。前記羽根車１２には前記第一端面２１に応じる中心部１３が設けてあり、前記第一端面２１の面積は前記中心部１３と同じであり、且つ前記第一端面２１と前記第二端面２２との間には気流案内溝２３が少なくとも一つ設けてある。本実施例では、前記気流案内体２０は頂部がカットされた円錐体であり、前記気流案内溝２３は、前記ファン１０の気流方向に沿うように、前記気流案内体２０の表面に輻射状に配列されている。前記ファン１０は、軸流ファンでもよいし、遠心ファンでもよい。
【００１２】
次に、図２と図３Ａと図３Ｂを参照しながら本考案の実施態様を詳細に説明する。気流案内体２０とファン１０とは、一体成形技術によって一体成形されてもいいし、係止構造によって結合してもよい。係止構造によって結合する場合には、前記気流案内体２０の第一端面２１の端縁には第一位置決め部２４が設けてあり、前記ファン１１には前記第一位置決め部２４に対応する第二位置決め部１４が設けてあり、前記第一位置決め部２４と第二位置決め部１４とは係止構造によって結合し、前記係止構造により気流案内体２０とファン１０とが安定して結合されるようになっている。また、図３Ｂに示したのは本考案の実施例２であって、気流案内体２０ａの第一位置決め部２４ａは、更に、軸方向段２４１と、横方向段２４２とを有し、第二位置決め部１４は前記第一位置決め部２４ａに対応する開口（図２に示した第二位置決め部１４の構造と同様）であり、前記横方向段２４２を前記開口に入れて気流案内体２０ａを旋回すると、前記軸方向段２４１が前記開口の内壁面に押付けるようになり、これにより、気流案内体２０ａとファン１０とが安定して結合されるようになっている。また、気流案内体２０とファン１０との結合方法は、上記の他に、気流案内体２０の第一端面２１の端縁に粘着物などを付けて前記ファン１０に組付けてもよいし、螺合方式によって結合してもよい。
【００１３】
次に、図４を参照して本考案による作用を説明する。図４は本考案の断面図とその放熱気流の流動方向を示す図面である。図４に示すように、ファン１０を運転すると、気流がファン１０に吸い込まれ、中心部１３の端縁の気流が前記気流案内溝２３に沿って羽根車１２に流入し、これにより、ファン１０の中心部１３の端縁には、騒音が発生しなくなり、且つ気流が順調になり、風量が増加し、放熱効果が向上する。
【００１４】
このように、本考案は、特定の例を参照して説明したが、これらの例は、説明のためだけのものであり、これらの実施の形態に本考案を限定するものではなく、この分野に通常の知識を有する者が、本考案の精神および範囲を逸脱することなく、ここで開示された実施形態に変更、追加、または、削除を施したものは総て含まれるものである。
【図面の簡単な説明】
【００１５】
【図１】本考案の外観斜視図である。
【図２】本考案の分解斜視図である。
【図３Ａ】本考案の実施例１の斜視図である。
【図３Ｂ】本考案の実施例２の斜視図である。
【図４】本考案の断面図とその放熱気流の流動方向を示す図面である。
【符号の説明】
【００１６】
１０      ファン
１１      筐部
１２      羽根
１３      中心部
１４      第二位置決め部
２０      気流案内体
２０ａ    気流案内体
２１      第一端面
２２      第二端面
２３      気流案内溝
２４      第一位置決め部
２４ａ    第一位置決め部
２４１    軸方向段
２４２    横方向段
【図１】
0003135977.tif 000003
【図２】
0003135977.tif 000004
【図３Ａ】
0003135977.tif 000005
【図３Ｂ】
0003135977.tif 000006
【図４】
0003135977.tif 000007